(57)【特許請求の範囲】
【請求項１】
走行用のモータとエンジンを有する車両に搭載され、予め定められた走行条件を満たす目標加減速度（Ａｄ）を算出し、当該目標加減速度（Ａｄ）と加速度が正の境界加減速度（Ａ１）に基づいて前記エンジンの駆動制御が必要であると判定すると、前記モータに加えて前記エンジンの駆動制御を実施する車両制御装置であって、
前記目標加減速度（Ａｄ）と、前記正の境界加減速度（Ａ１）との差分が、前記車速が低速よりも高速の方が広くなるように規定された加速度規定範囲（ΔＡｄ）内か否かを判定する加速度差分判定手段と、
前記目標加減速度（Ａｄ）と前記正の境界加減速度（Ａ１）に基づいて前記エンジンの駆動が必要と判定された場合でも、前記加速度差分判定手段により前記目標加減速度（Ａｄ）と、前記正の境界加減速度（Ａ１）との差分が加速度規定範囲（ΔＡｄ）内であると判定された場合、前記目標加減速度（Ａｄ）を前記モータにより実現可能な最大加速度に変更する目標加速度変更手段と、を備えたことを特徴とする車両制御装置。
【請求項２】
前記目標加減速度（Ａｄ）と加速度が負の境界加減速度（Ａ２）に基づいて前記モータによる回生ブレーキに加えて新たに油圧ブレーキを用いた制動制御が必要であると判定すると、前記モータによる回生ブレーキに加えて新たに油圧ブレーキを用いた制動制御を実施するものであって、
前記加速度差分判定手段は、更に、前記目標加減速度（Ａｄ）と、前記負の境界加減速度（Ａ２）との差分が、前記加速度規定範囲（ΔＡｄ）内か否かを判定し、
前記目標加速度変更手段は、前記目標加減速度（Ａｄ）と前記負の境界加減速度（Ａ２）に基づいて前記モータによる回生ブレーキに加えて新たに油圧ブレーキを用いた制動制御が必要であると判定された場合でも、前記加速度差分判定手段により前記目標加減速度（Ａｄ）と、前記負の境界加減速度（Ａ２）との差分が、前記加速度規定範囲（ΔＡｄ）内であると判定された場合、前記目標加減速度（Ａｄ）を前記回生ブレーキにより実現可能な最大減速度に変更することを特徴とする請求項１に記載の車両制御装置。
【請求項３】
前記加速度規定範囲は、乗員の設定に応じて段階的に変更されるようになっていることを特徴とする請求項１または２に記載の車両制御装置。
【請求項４】
前記走行条件は、先行車両との車間距離を一定に保持することであることを特徴とする請求項１ないし３のいずれか１つに記載の車両制御装置。
【請求項５】
前記走行条件は、前記車両の車速を一定に保持することであることを特徴とする請求項１ないし３のいずれか１つに記載の車両制御装置。
【請求項６】
前記走行条件は、前記車両の最高車速を一定に保持することであることを特徴とする請求項１ないし３のいずれか１つに記載の車両制御装置。
【発明の詳細な説明】
【技術分野】
【０００１】
本発明は、走行用の複数の動力源を有する車両に搭載され、予め定められた走行条件を満たす目標加速度を実現するように複数の動力源の駆動制御を行う車両制御装置に関するものである。
【背景技術】
【０００２】
従来、モータとエンジンを駆動系に有し、先行車の捕捉時、設定された自車との車間距離を維持するように制駆動力を制御する車間制御システムを備えたハイブリッド車両の車間制御装置がある（例えば、特許文献１参照）。
【先行技術文献】
【特許文献】
【０００３】
【特許文献１】特開２００７−１６８５０２号公報
【発明の概要】
【発明が解決しようとする課題】
【０００４】
上記特許文献１に記載されたようなハイブリッド車両には、先行車両との車間距離を一定に維持するために必要となる加速度（目標加速度）を算出し、この目標加速度と、予め定められた境界加減速度に基づいて新たな動力源の駆動が必要か否かを判定し、新たな動力源の駆動が必要であると判定した場合、先行車両との車間距離を一定に維持するように、駆動中の動力源に加えて新たな動力源を駆動するといった制御を行うものがある。
【０００５】
例えば、モータのみを駆動して走行するモータ走行中に、先行車両との車間距離が一時的に大きくなり、目標加速度と境界加速度に基づいてモータに加えてエンジンの駆動が必要と判定された場合、モータとエンジンによる駆動制御が行われる。
【０００６】
しかし、このような制御では、目標加速度が少し境界加速度を超えただけで、モータとエンジンの駆動制御に切り替わることになり、エネルギー効率が低下してしまう。
【０００７】
そこで、加速時における境界加速度を少し高めに設定することが考えられる。しかし、このように境界加速度を変更すると、全ての加速シーンで加速性能が低下してしまうという問題が生じる。
【０００８】
本発明は上記問題に鑑みたもので、全加減速シーンにおける加速性能を低下させることなく、エネルギー効率の向上を図ることを目的とする。
【課題を解決するための手段】
【０００９】
上記目的を達成するため、請求項１に記載の発明は、走行用のモータとエンジンを有する車両に搭載され、予め定められた走行条件を満たす目標加減速度（Ａｄ）を算出し、当該目標加減速度（Ａｄ）と加速度が正の境界加減速度（Ａ１）に基づいてエンジンを用いた駆動制御が必要であると判定すると、モータに加えてエンジンの駆動制御を実施する車両制御装置であって、目標加減速度（Ａｄ）と、正の境界加減速度（Ａ１）との差分が車速が低速よりも高速の方が広くなるように規定された加速度規定範囲（ΔＡｄ）内か否かを判定する加速度差分判定手段と、目標加減速度（Ａｄ）と正の境界加減速度（Ａ１）に基づいてエンジンの駆動が必要と判定された場合でも、加速度差分判定手段により目標加減速度（Ａｄ）と、正の境界加減速度（Ａ１）との差分が加速度規定範囲（ΔＡｄ）内であると判定された場合、目標加減速度（Ａｄ）をモータにより実現可能な最大加速度に変更する目標加速度変更手段と、を備えたことを特徴としている。
【００１０】
このような構成によれば、目標加減速度（Ａｄ）と、正の境界加減速度（Ａ１）との差分が車速が低速よりも高速の方が広くなるように規定された加速度規定範囲（ΔＡｄ）内か否かを判定し、目標加減速度（Ａｄ）と正の境界加減速度（Ａ１）に基づいてエンジンの駆動が必要と判定された場合でも、加速度差分判定手段により目標加減速度（Ａｄ）と、正の境界加減速度（Ａ１）との差分が加速度規定範囲（ΔＡｄ）内であると判定された場合、目標加減速度（Ａｄ）がモータにより実現可能な最大加速度に変更されるので、全加速シーンにおける加速性能を低下させることなく、エネルギー効率の向上を図ることができる。
ところで、車速が低速よりも高速の方が加減速の変化に気付きにくいといった傾向がある。
上記した構成では、加速度規定範囲が、車速が低速よりも高速の方が広くなるように規定されているので、乗員に加減速性能の低下を意識させることなく、エネルギー効率の向上を図ることが可能である。
【００１１】
また、請求項２に記載の発明は、目標加減速度（Ａｄ）と加速度が負の境界加減速度（Ａ２）に基づいてモータによる回生ブレーキに加えて新たに油圧ブレーキを用いた制動制御が必要であると判定すると、モータによる回生ブレーキに加えて新たに油圧ブレーキを用いた制動制御を実施するものであって、加速度差分判定手段は、更に、目標加減速度（Ａｄ）と、負の境界加減速度（Ａ２）との差分が、加速度規定範囲（ΔＡｄ）内か否かを判定し、目標加速度変更手段は、目標加減速度（Ａｄ）と負の境界加減速度（Ａ２）に基づいてモータによる回生ブレーキに加えて新たに油圧ブレーキを用いた制動制御が必要であると判定された場合でも、加速度差分判定手段により目標加減速度（Ａｄ）と、負の境界加減速度（Ａ２）との差分が加速度規定範囲（ΔＡｄ）内であると判定された場合、目標加減速度（Ａｄ）を回生ブレーキにより実現可能な最大減速度に変更することを特徴としている。
【００１２】
このような構成によれば、目標加減速度（Ａｄ）と負の境界加減速度（Ａ２）に基づいてモータによる回生ブレーキに加えて新たに油圧ブレーキを用いた制動制御が必要であると判定された場合でも、加速度差分判定手段により目標加減速度（Ａｄ）と、負の境界加減速度（Ａ２）との差分が加速度規定範囲（ΔＡｄ）内であると判定された場合、目標加減速度（Ａｄ）が回生ブレーキにより実現可能な最大減速度に変更されるので、全減速シーンにおける減速性能を低下させることなく、エネルギー効率の向上を図ることができる。
【００１５】
また、走行条件は、請求項４に記載の発明のように、先行車両との車間距離を一定に保持するようにしてもよく、請求項５に記載の発明のように、車両の車速を一定に保持するようにしてもよく、請求項６に記載の発明のように、車両の最高車速を一定に保持するようにしてもよい。
【００１６】
なお、この欄および特許請求の範囲で記載した各手段の括弧内の符号は、後述する実施形態に記載の具体的手段との対応関係を示すものである。
【図面の簡単な説明】
【００１７】
【図１】本発明の一実施形態に係る車両制御装置の構成を示す図である。
【図２】境界加減速度について説明するための図である。
【図３】目標加速度の変更について説明するための図である。
【図４】加速度規定範囲と車速の関係について説明するための図である。
【図５】車間制御ＥＣＵのフローチャートである。
【発明を実施するための形態】
【００１８】
本発明の一実施形態に係る車両制御装置の構成を図１に示す。本車両制御装置１は、モータとエンジンを走行用の動力源とするハイブリッド車両に搭載され、先行車両との車間距離を一定に保持するようにモータとエンジンの駆動制御を行う。
【００１９】
車両制御装置１は、車間制御ＥＣＵ１０および加速度制御ＥＣＵ２０により構成されている。車間制御ＥＣＵ１０には、車間距離センサ３０および車速センサ３１が接続されている。
【００２０】
車間距離センサ３０は、自車両と先行車両との車間距離を測定するためのものである。本実施形態では、レーザー光を送出し、先行車両に反射した反射光を検出することにより自車両と先行車両との車間距離を測定するレーザーレーダにより構成されている。車間距離センサ３０により定期的に先行車両との車間距離が測定され、車間距離センサ３０から車間制御ＥＣＵ１０へ車間距離を表す車間距離データが送出されるようになっている。
【００２１】
車速センサ３１は、自車両の車速を特定するための信号を出力する。本車速センサ３１は、自車両の車輪の回転速度に応じた車速信号を車間制御ＥＣＵ１０へ出力する。
【００２２】
車間制御ＥＣＵ１０は、ＣＰＵ、メモリ、Ｉ／Ｏ等を備えたコンピュータとして構成されている。車間制御ＥＣＵ１０のＣＰＵはメモリに記憶されたプログラムに従って各種処理を実施する。
【００２３】
車間制御ＥＣＵ１０には、アクセルペダル操作量センサ（図示せず）より運転者のアクセルペダルの操作量に応じた信号と、ブレーキペダル操作量センサ（図示せず）より運転者のブレーキペダルの操作量に応じた信号とが入力されるようになっている。
【００２４】
車間制御ＥＣＵ１０は、アクセルペダル操作量センサより入力される信号とブレーキペダル操作量センサより入力される信号に基づいて運転者の要求する目標加減速度Ａｄを算出し、算出した目標加減速度Ａｄを加速度制御ＥＣＵ２０へ送出する。
【００２５】
また、車間制御ＥＣＵ１０は、乗員のスイッチ操作に応じて車間距離一定走行の開始を指示する信号が入力されると、車速センサ３１より入力される車速信号に基づいて自車両の車速を求めるとともに、この車速と車間距離センサ３０より入力される車間距離データとに基づいて先行車両との車間距離が一定となるように目標加減速度（目標加速度または目標減速度）Ａｄを算出し、算出した目標加減速度Ａｄを加速度制御ＥＣＵ２０へ出力する。
【００２６】
加速度制御ＥＣＵ２０は、ＣＰＵ、メモリ、Ｉ／Ｏ等を備えたコンピュータとして構成されている。加速度制御ＥＣＵ２０のＣＰＵはメモリに記憶されたプログラムに従って各種処理を実施する。
【００２７】
加速度制御ＥＣＵ２０は、エンジンＥＣＵ４０およびモータＥＣＵ４１からそれぞれ駆動トルク範囲を表す情報を取得するとともに、ブレーキＥＣＵ４２から制動トルク範囲を表す情報を取得し、駆動トルク範囲を表す情報および制動トルク範囲を表す情報に基づいて境界加減速度を規定するようになっている。
【００２８】
駆動トルク範囲は、エンジン駆動、モータ駆動により実現可能な最大トルクにより決定され、制動トルク範囲は、モータ回生による回生ブレーキ、油圧ブレーキにより実現可能な最大トルクにより決定される。
【００２９】
エンジンＥＣＵ４０は、加速度制御ＥＣＵ２０からの駆動指示に応じた駆動トルクが車軸に発生するようにエンジンを駆動制御し、モータＥＣＵ４１は、加速度制御ＥＣＵ２０からの駆動指示に応じた駆動トルクが車軸に発生するようにモータを駆動制御する。
【００３０】
また、ブレーキＥＣＵ４２は、加速度制御ＥＣＵ２０からの制動指示に応じた制動トルクが車軸に発生するようにモータおよび油圧ブレーキを制御する。
【００３１】
また、加速度制御ＥＣＵ２０は、車間制御ＥＣＵ１０より入力される目標加減速度Ａｄを実現するようにエンジンＥＣＵ４０、モータＥＣＵ４１、ブレーキＥＣＵ４２に対して指示を送る。具体的には、エンジンＥＣＵ４０、モータＥＣＵ４１に対し、運転者の要求する加速度を実現するための駆動トルクを発生するように指示するとともに、ブレーキＥＣＵ４２に対し、運転者の要求する減速度を実現するための制動トルクを発生するように指示を送る。
【００３２】
加速度制御ＥＣＵ２０は、車間制御ＥＣＵ１０より入力される目標加減速度Ａｄと、予め定められた境界加減速度に基づいて新たな動力源が必要であるか否かを判定し、この判定結果に従ってモータおよびエンジンの駆動制御、モータおよびブレーキを用いた制動制御を行う。
【００３３】
なお、加速度制御ＥＣＵ２０は、モータで発生させることができる駆動トルク範囲内では、優先的にモータを作動させ、モータで発生させることができる駆動トルクを超えるとエンジンを作動させるように、エンジンＥＣＵ４０およびモータＥＣＵ４１に指示する。
【００３４】
また、加速度制御ＥＣＵ２０は、モータで発生させることができる制動トルク範囲内では優先的に回生ブレーキを作動させ、モータで発生させることができる制動トルクを超えると更に油圧ブレーキを作動させるように、ブレーキＥＣＵ４２に指示する。
【００３５】
具体的には、図２に示すように、加速時には、目標加速度が境界加減速度Ａ１未満では、モータ駆動のみの駆動制御を実施し、目標加速度が境界加減速度Ａ１以上になると、モータに加えてエンジンの駆動制御を実施する。これにより目標加速度を実現するために必要なエネルギーを得ることが可能となる。
【００３６】
また、減速時には、目標減速度が境界加減速度Ａ２よりも大きい場合は、モータによる回生ブレーキのみの制動制御を実施し、目標減速度が境界加減速度Ａ２以下になると、モータによる回生ブレーキに加えて油圧ブレーキによる制動制御を実施する。これにより、目標減速度を実現するために必要なエネルギーを得ることができる。
【００３７】
なお、本実施形態において、境界加減速度Ａ１は、モータのみを動力源とする動作モードからモータとエンジンを動力源とする動作モードに切り替わるポイントに設定されている。この境界加減速度Ａ１は、モータが過負荷の状態とならないようにモータにより実現可能な最大加速度Ａｍよりも一定量低い値となっている。
【００３８】
また、境界加減速度Ａ２は、モータ回生による回生ブレーキから、回生ブレーキと油圧ブレーキに切り替わるポイントに設定されている。この境界加減速度Ａ２は、モータ回生による回生ブレーキにより実現可能な最大減速度Ａｍと同じ値に設定されている。
【００３９】
本実施形態に係る車間制御ＥＣＵ１０は、目標加速度が少し境界加減速度を超えただけで、新たな動力源が必要であると判定され、モータとエンジンの駆動制御に切り替わったり、また、目標減速度が少し境界加減速度を下まわっただけで、新たな制動手段が必要と判定され、回生ブレーキと油圧ブレーキによる制動制御に切り替わる等して、エネルギー効率が低下してしまうといった問題を解決するため、条件に応じて目標加減速度Ａｄを駆動中の動力源により実現可能な最大加速度Ａｍに変更する処理を実施する。
【００４０】
図３に、図２のＢ部拡大図を示す。車間制御ＥＣＵ１０は、目標加減速度Ａｄと予め定められた境界加減速度Ａ１に基づいて新たな動力源の駆動が必要と判定された場合でも、図３に示すように、目標加減速度Ａｄと駆動中の動力源により実現可能な最大加速度Ａ１との差分が予め定められた加速度規定範囲ΔＡｄ内であると判定された場合、図中矢印Ｃに示すように、目標加減速度Ａｄを駆動中の動力源により実現可能な最大加速度Ａ１に変更する。
【００４１】
また、本実施形態において、加速度規定範囲ΔＡｄは、車速に応じて変化するようになっている。図４に、加速度規定範囲と車速の関係を示す。図中、縦軸のプラス側は加速時の加速度規定範囲、縦軸のマイナス側は減速時の加速度規定範囲である。車間制御ＥＣＵ１０のメモリには、このような車速と加速度規定範囲の関係を規定した情報が記憶されている。
【００４２】
この図に示すように、車速が一定値（例えば、時速４０キロメートル）未満では、車速が高速になるほど加速度規定範囲は広くなるように規定されている。これは、低速よりも高速の方が加減速の変化に気付きにくいという運転者の特性に基づくものである。
【００４３】
図５に、車間制御ＥＣＵ１０のフローチャートを示す。運転席に設けられたスタートボタンに対する操作に応じて車間制御ＥＣＵ１０、加速度制御ＥＣＵ２０、エンジンＥＣＵ４０、モータＥＣＵ４１、ブレーキＥＣＵ４２等は動作状態となる。そして、運転者のスイッチ操作により車間距離一定走行の開始を指示する信号が車間制御ＥＣＵ１０に入力されると、車間制御ＥＣＵ１０は、図５に示す処理を定期的に実施する。
【００４４】
まず、車間距離および車速から目標加速度、目標減速度を算出する（Ｓ１００）。具体的には、車速センサ３１より入力される車速信号に基づいて自車両の車速を求めるとともに、この車速と車間距離センサ３０より入力される車間距離データとに基づいて先行車両との車間距離が一定となるように目標加減速度（目標加速度または目標減速度）Ａｄを算出する。
【００４５】
次に、境界加減速度Ａ１〜Ａｎを加速度制御ＥＣＵ２０より取得する（Ｓ１０２）。本実施形態では、図２に示した境界加減速度Ａ１と境界加減速度Ａ２が取得される。
【００４６】
次に、加速度範囲ΔＡｄを設定する（Ｓ１０４）。具体的には、メモリを参照して車両の車速に対応する加速度範囲ΔＡｄを特定する。
【００４７】
次に、境界加減速度Ａ１〜Ａｎの内、目標加減速度Ａｄに最も近い境界加減速度Ａｍを特定し、Ａｍ≧Ａｄ−ΔＡｄを満たすか否かを判定する（Ｓ１０６）。
【００４８】
ここでは、境界加減速度Ａ１が、目標加減速度Ａｄに最も近い境界加減速度Ａｍとなっているものとする。この場合、Ａ１≧Ａｄ−ΔＡｄを満たすか否かを判定する。
【００４９】
ここで、目標加減速度Ａｄが境界加減速度Ａ１を少し超えただけで、Ａ１≧Ａｄ−ΔＡｄを満たしている場合、Ｓ１０６の判定はＹＥＳとなり、次に、目標加減速度Ａｄを変更する（Ｓ１０８）。具体的には、目標加減速度Ａｄを、目標加減速度Ａｄに最も近い境界加減速度Ａｍに変更する。
【００５０】
次に、目標加減速度Ａｄを加速度制御ＥＣＵ２０に出力する（Ｓ１１０）。すなわち、モータ駆動が維持され、エンジン駆動は開始されない。
【００５１】
したがって、多少加速性能は低下するものの、エンジン駆動が開始されないので、エネルギー効率の向上に寄与することができる。
【００５２】
また、境界加減速度Ａ１が、目標加減速度Ａｄに最も近い境界加減速度Ａｍとなっており、目標加減速度Ａｄが境界加減速度Ａ１を大幅に超えて、Ａ１≧Ａｄ−ΔＡｄを満たしていない場合には、Ｓ１０６の判定はＮＯとなり、目標加減速度Ａｄを変更することなく、目標加減速度Ａｄを加速度制御ＥＣＵ２０に出力する。
【００５３】
この場合、速やかにモータ＋エンジン駆動に切り替わり、加速性能を低下させることなく駆動制御を行うことができる。
【００５４】
また、境界加減速度Ａ２が、目標加減速度Ａｄに最も近い境界加減速度Ａｍとなっており、目標加減速度Ａｄが境界加減速度Ａ２を少し下まわっただけで、Ａ２≧Ａｄ−ΔＡｄを満たしている場合、Ｓ１０６の判定はＹＥＳとなり、次に、目標加減速度Ａｄを変更する（Ｓ１０８）。具体的には、目標加減速度Ａｄを、目標加減速度Ａｄに最も近い境界加減速度Ａｍに変更する。
【００５５】
この場合、回生ブレーキが維持される。したがって、多少制動性能は低下するものの、エネルギー効率の向上に寄与する。
【００５６】
また、境界加減速度Ａ２が、目標加減速度Ａｄに最も近い境界加減速度Ａｍとなっており、急ブレーキにより目標加減速度Ａｄが境界加減速度Ａ２を大幅に下まわり、Ａ２≧Ａｄ−ΔＡｄを満たしていない場合、Ｓ１０６の判定はＮＯとなり、目標加減速度Ａｄを変更することなく、目標加減速度Ａｄを加速度制御ＥＣＵ２０に出力する。
【００５７】
この場合、速やかに回生ブレーキと油圧ブレーキによる制動制御に切り替わる。したがって、制動性能を低下させることなく制動制御を行うができる。
【００５８】
上記した構成によれば、目標加減速度Ａｄと、境界加減速度Ａｎのうち目標加減速度Ａｄに最も近い境界加減速度Ａｍとの差分が加速度規定範囲ΔＡｄ内か否かを判定し、目標加減速度Ａｄと境界加減速度Ａｎに基づいて新たにエンジンの駆動が必要と判定された場合でも、目標加減速度Ａｄと、境界加減速度Ａｎのうち目標加減速度Ａｄに最も近い境界加減速度Ａｍとの差分が加速度規定範囲ΔＡｄ内であると判定された場合、目標加減速度Ａｄが駆動中の動力源により実現可能な加速度に変更されるので、全加速シーンにおける加速性能を低下させることなく、エネルギー効率の向上を図ることができる。
【００５９】
また、目標加減速度Ａｄと境界加減速度Ａｎに基づいてモータによる回生ブレーキに加えて新たに油圧ブレーキを用いた制動制御が必要であると判定された場合でも、目標加減速度Ａｄと、境界加減速度Ａｎのうち目標加減速度Ａｄに最も近い境界加減速度Ａｍとの差分が加速度規定範囲ΔＡｄ内であると判定された場合、目標加減速度Ａｄがモータによる回生ブレーキにより実現可能な減速度に変更されるので、全減速シーンにおける減速性能を低下させることなく、エネルギー効率の向上を図ることができる。
【００６０】
また、加速度規定範囲は、車速が低速よりも高速の方が広くなるように規定されているので、乗員に加減速性能の低下を意識させることなく、エネルギー効率の向上を図ることが可能である。
【００６１】
なお、本発明は上記実施形態に限定されるものではなく、本発明の趣旨に基づいて種々なる形態で実施することができる。
【００６２】
例えば、上記実施形態では、Ｓ１０８にて、目標加減速度Ａｄを、境界加減速度Ａｎのうち、目標加減速度Ａｄに最も近い境界加減速度Ａｍに変更したが、必ずしも目標加減速度Ａｄに最も近い境界加減速度Ａｍに変更する必要はなく、駆動中の動力源により実現可能な加速度に変更するように構成してもよい。例えば、目標加減速度Ａｄに最も近い境界加減速度Ａｍよりも若干小さな値となるように構成してもよい。
【００６３】
また、上記実施形態では、車間制御ＥＣＵ１０および加速度制御ＥＣＵ２０により車間制御装置１を構成したが、車間制御ＥＣＵ１０と加速度制御ＥＣＵ２０を１つのＥＣＵとして車間制御装置１を構成してもよい。
【００６４】
また、上記実施形態では、レーザーレーダを用いて車間距離センサ３０を構成したが、レーザーレーダに限定されるものではなく、例えば、ミリ波レーダ、２カメラＣＣＤ等を用いて構成してもよい。
【００６５】
また、上記実施形態では、車速に応じて加速度規定範囲が変化する構成を示したが、例えば、省エネ優先、標準、加速優先といったように、乗員の設定により加速度規定範囲を変更できるようにしてもよい。この場合、省エネ優先、標準、加速優先の順に、加速度規定範囲が狭くなるように規定すればよい。また、車速と乗員の設定に応じて加速度規定範囲を変化させるように構成してもよい。
【００６６】
また、上記実施形態では、走行条件として、先行車両との車間距離を一定に保持する例を示したが、例えば、車両の車速を一定に保持するようにしてもよく、また、車両の最高車速を一定に保持するようにしてもよい。
【００６７】
また、上記実施形態では、本車両制御装置をモータとエンジンを搭載した車両に搭載した構成を示したが、このような構成に限定されるものではなく、例えば、２つのエンジンを搭載した車両、２つのモータを搭載した車両、２つのモータと２つのエンジンを搭載した車両等に適応することもできる。
【００６８】
なお、上記実施形態における構成と特許請求の範囲の構成との対応関係について説明すると、Ｓ１０６が加速度差分判定手段相当し、Ｓ１０８が目標加速度変更手段に相当する。
【符号の説明】
【００６９】
１    車両制御装置
１０  車間制御ＥＣＵ
２０  加速度制御ＥＣＵ
３０  車間距離センサ
３１  車速センサ
４０  エンジンＥＣＵ
４１  モータＥＣＵ
４２  ブレーキＥＣＵ
【図１】
0005652337.tif 000002
【図２】
0005652337.tif 000003
【図３】
0005652337.tif 000004
【図４】
0005652337.tif 000005
【図５】
0005652337.tif 000006